(57)【要約】【課題】  本発明は、本発明は、左右両方向から外部接続部材を接続可能とすることにより１種類で右開閉のドア用と左開閉のドア用を兼用することができるスイッチ装置を提供すること。【解決手段】  本発明のスイッチ装置は、内部に空洞部１ａが形成されたケース１と、空洞部１ａに収納された固定接点４、６と、この固定接点４、６に接続することによりスイッチング動作可能な可動接点９と、この可動接点９を保持した状態で回動操作可能な可動部材であるレバー部材２とを備え、固定接点４、６には、外部に配設している外部接続部材１０に接続可能な接続部５、７が形成され、空洞部１ａを挟んで互いに対向する左右の側板１ｂ、１ｃには、外部接続部材１０を挿通させて接続部５、７に接続するための挿通孔１ｇ、１ｈがそれぞれ形成されている。【選択図】        図１
2006236608.tif 000002
【特許請求の範囲】
【請求項１】
内部に空洞部が形成されたケースと、前記空洞部に収納された固定接点と、この固定接点に接続することによりスイッチング動作可能な可動接点と、この可動接点を保持した状態で操作可能な可動部材とを備え、
前記固定接点には、外部に配設している外部接続部材に接続可能な接続部が形成され、前記空洞部を挟んで互いに対向する左右の側板には、前記外部接続部材を挿通させて前記接続部に接続するための挿通孔がそれぞれ形成されていることを特徴とするスイッチ装置。
【請求項２】
前記ケースには、外部の取付部材に前記ケースを位置決めして取付可能な位置決め孔が形成されていることを特徴とする請求項１記載のスイッチ装置。
【請求項３】
前記固定接点は、前記ケース内部に収納したウエハに支持され、前記固定接点の前記接続部は、前記ウエハの端面からの延出部分を前記端面に沿ってＵ字状に折り返して形成され、前記Ｕ字状の接続部は、一方側が開放部によって開放されている共に、他方側の折り返し基部が切り欠きされて差込孔が形成され、
前記挿通孔から差し込んだ前記外部接続部材は、前記開放部及び前記差込孔を挿通して前記接点部に接続することを特徴とする請求項１、または２記載のスイッチ装置。
【請求項４】
前記開放部近傍及び前記差込孔近傍の前記接続部には、前記開放部及び前記差込孔を挿通する前記外部接続部材に弾接可能な弾接部がそれぞれ形成されていることを特徴とする請求項３記載のスイッチ装置。
【請求項５】
前記それぞれの弾接部は、前記外部接続部材に接続する部分が山形形状に折り曲げられて片持ち状をなしていることを特徴とする請求項４記載のスイッチ装置。
【発明の詳細な説明】
【技術分野】
【０００１】
本発明は、スイッチ装置に係わり、固定接点と可動接点とによりスイッチング動作が可能なスイッチ装置に関する。
【背景技術】
【０００２】
従来のスイッチ装置を特許文献１に基づいて説明すると、従来のスイッチ装３０は、図８に示すように、ケース３１より揺動可能に突出するレバー３２を有し、このレバー３２の矢印Ａ方向の揺動によりオン・オフ信号を出力するように設定されている。
前記ケース３１内部には、レバー３２に連動する可動接点と固定接点とがあり、これらの接点につなげられた一対の接片３３、３３が、レバー３２の突出する側と反対側のケース３１の一端面から外部に突出している。
【０００３】
前記それぞれの接片３３は、導電性を有する金属板から成り、互いに対向する支持部３４と、支持部３４の先端側より取付箇所に対し平行になるように折曲された取付部３５とから成る。
また、取付部３５には、後述する端子４１を嵌入させるための取付孔３６が形成されている。
前記取付孔３６は、端子４１の断面が収まる大きさの略Ｈ字形に形成され、互いに対向する一対の係止片３７、３７を備えている。
また、ケース３１の一隅側には挿通孔３８が設けられ、この挿通孔３８に後述する係合ピン４２を嵌合させることによりケース３１の位置ズレを防止するようになっている。
【０００４】
また、従来のスイッチ装置３０を取付可能なハウジング４０には、角柱状の金属からなる一対の端子４１、４１と、円柱状の係合ピン４２とが立設されている。
そして、端子４１に取付孔３６を嵌入させる共に、係合ピン４２に挿通孔３８を挿通することにより、スイッチ装置３０は、ハウジング４０の所定位置に固定されると共に、各接片３３は、ハウジング４０側の各端子４１に対して電気的にも接続される。
このような従来のスイッチ装置３０は、例えばドアロック用検出スイッチとして用いられている。
【特許文献１】特開平１１−５３９７５号公報
【発明の開示】
【発明が解決しようとする課題】
【０００５】
しかし、前述したような従来のスイッチ装置３０をドアロック用検出スイッチとして用いる場合は、接片３３と端子４１との接続は、取付孔３６を形成した側の一方向からしか行えず、取付の自由度がなかった。
そのために、従来のスイッチ装置３０は、例えば右開閉のドアに用いることができても、左開閉のドアには用いることができず、右開閉のドア用と左開閉のドア用の２種類のスイッチ装置を用意しなければならないという問題があった。
本発明は、前述したような問題点を解決するためになされたもので、１種類で左右両方向から外部接続部材を接続可能なスイッチ装置を提供することを目的とする。
【課題を解決するための手段】
【０００６】
前記課題を解決するための第１の手段として本発明のスイッチ装置は、内部に空洞部が形成されたケースと、前記空洞部に収納された固定接点と、この固定接点に接続することによりスイッチング動作可能な可動接点と、この可動接点を保持した状態で操作可能な可動部材とを備え、
前記固定接点には、外部に配設している外部接続部材に接続可能な接続部が形成され、前記空洞部を挟んで互いに対向する左右の側板には、前記外部接続部材を挿通させて前記接続部に接続するための挿通孔がそれぞれ形成されていることを特徴とする。
また、前記課題を解決するための第２の手段として、前記ケースには、外部の取付部材に前記ケースを位置決めして取付可能な位置決め孔が形成されていることを特徴とする。
【０００７】
また、前記課題を解決するための第３の手段として、前記固定接点は、前記ケース内部に収納したウエハに支持され、前記固定接点の前記接続部は、前記ウエハの端面からの延出部分を前記端面に沿ってＵ字状に折り返して形成され、前記Ｕ字状の接続部は、一方側が開放部によって開放されている共に、他方側の折り返し基部が切り欠きされて差込孔が形成され、
前記挿通孔から差し込んだ前記外部接続部材は、前記開放部及び前記差込孔を挿通して前記接点部に接続することを特徴とする。
また、前記課題を解決するための第４の手段として、前記開放部近傍及び前記差込孔近傍の前記接続部には、前記開放部及び前記差込孔を挿通する前記外部接続部材に弾接可能な弾接部がそれぞれ形成されていることを特徴とする。
【０００８】
また、前記課題を解決するための第５の手段として、前記それぞれの弾接部は、前記外部接続部材に接続する部分が山形形状に折り曲げられて片持ち状をなしていることを特徴とする。
【発明の効果】
【０００９】
本発明のスイッチ装置固定接点には、外部に配設している外部接続部材に接続可能な接続部が形成され、空洞部を挟んで互いに対向する左右の側板には、外部接続部材を挿通させて接続部に接続するための挿通孔がそれぞれ形成されているので、スイッチ装置の取付姿勢を変えることなく左右両方向から外部接続部材を内部の固定接点に接続でき、取付の自由度を増すことができる。
そのために、本発明のスイッチ装置を取り付ける取付部材が、例えばドアの場合だと、左開閉のドアでも右開閉のドアでも、１種類のスイッチ装置で対応できドアロック装置の標準化が可能である。
また、ケースには、外部の取付部材にケースを位置決めして取付可能な位置決め孔が形成されているので、外部の取付部材の所定位置に容易に位置決めして取り付けることができる。
【００１０】
また、固定接点は、ケース内部に収納したウエハに支持され、固定接点の接続部は、ウエハの端面からの延出部分を端面に沿ってＵ字状に折り返して形成され、Ｕ字状の接続部は、一方側が開放部によって開放されている共に、他方側の折り返し基部が切り欠きされて差込孔が形成され、
挿通孔から差し込んだ外部接続部材は、開放部及び差込孔を挿通して接点部に接続することができるので、外部接続部材を左右両方向から挿入して固定接点に確実に接続できる。
また、開放部近傍及び差込孔近傍の接続部には、開放部及び差込孔を挿通する外部接続部材に弾接可能な弾接部がそれぞれ形成されているので、２つの弾接部が外部接続部材に弾接し、更に確実な接続ができる。
また、それぞれの弾接部は、外部接続部材に接続する部分が山形形状に折り曲げられて片持ち状をなしているので、侵入する外部接続部材を山形形状で片持ち状の弾接部でガイドすることができ、取付作業性に優れている。
【発明を実施するための最良の形態】
【００１１】
以下に、本発明のスイッチ装置の実施の形態を図面に基づいて説明する。図１は本発明のスイッチ装置の分解斜視図であり、図２は本発明のスイッチ装置の斜視図であり、図３は図２の要部断面図であり、図４は図２の下面から見た要部断面図であり、図５は本発明に係わるウエハの正面図であり、図６、図７は外部接続部材と固定接点との接続を説明する要部断面図である。
【００１２】
まず、本発明の１実施の形態のスイッチ装置を図１〜図３に基づいて説明すると、樹脂材料等からなり外形が略立方体状に形成されたケース１が配設されている。このケース１は、内部に空洞部１ａが形成されている。
また、空洞部１ａは、互いに対向する左右の第１、第２側板１ｂ、１ｃに挟まれていると共に上方が天板１ｄで遮蔽されて、下方が開放されている。
【００１３】
また、ケース１の天板１ｄには、後述するレバー部材２が挿通可能なレバー挿通孔１ｅが形成されている。
前記互いに対向する左右の第１、第２側板１ｂ、１ｃには、下部側に所定の間隔でスナップ孔１ｆ、１ｆがそれぞれ貫通形成されている。
また、左右の第１、第２側板１ｂ、１ｃのそれぞれには、スナップ孔１ｆの図示奥側に、ソケット等の後述する外部接続部材１０が挿通可能な一対の第１、第２挿通孔１ｇ、１ｈが図示上下にそれぞれ貫通形成されている。
前記第１、第２挿通孔１ｇ、１ｈが形成された部分の空洞部１ａ内には、後述する第１、第２固定接点４、６の第１、第２接続部５、７が位置するようになっている。
【００１４】
また、ケース１の一対のスナップ孔１ｆ、１ｆ間には、丸穴状の第１位置決め孔１ｊが貫通形成され、第１挿通孔１ｇの上方には、略小判形状の第２位置決め孔１ｋが貫通形成されている。
【００１５】
また、ケース１の空洞部１ａには、可動部材であるレバー部材２が回動自在に支持されている。前記レバー部材２は、樹脂材料等からなり、図示斜め上方に延びる操作部２ａを有する略三角形状の本体部２ｂが形成されている。
前記本体部２ｂ下部には、互いに対向する左右の側部からつば状に突出する一対のストッパー壁２ｃが形成されている。
前記レバー部材２を空洞部１ａの所定位置に回動自在に支持すると、天板１ｄのレバー挿通孔１ｅから操作部２ａが図示上方に挿通するようになっている。
【００１６】
また、レバー部材２は、本体部２ｂの下部側に突出して接点収納部２ｄが形成され、この接点収納部２ｄの内部には、後述する可動接点９を保持可能な空洞部が形成されている。
また、レバー部材２を回動自在に支持可能な回動支持部２ｅが、ストッパー壁２ｃの図示奥側に円柱状で高さが低く突出形成されている。
そして、レバー部材２は、回動支持部２ｅがケース１の左右の第１、第２側板１ｂ、１ｃの内面に支持されて回動自在になっている。
また、レバー部材２の回動支持部２ｅが形成された部分の内部には、後述する弾性部材８を支持可能なバネ支持部（図示せず）が形成されている。
【００１７】
また、ケース１の空洞部１ａ内の下部側には、樹脂材料等からなるウエハ３が配設され、このウエハ３には、基部３ａと、この基部３ａの図示奥側に基部３ａより高さの高いバネ支持壁３ｂとが形成されている。
前記バネ支持壁３ｂには、コモン接点である第１固定接点４の一部がインサート成型等により埋設されており、基部３ａには、個別接点である第２固定接点６の一部が埋設されて支持されている。そして、第１、第２固定接点４、６が互いに絶縁されている。
【００１８】
また、バネ支持部３ｂの上端部には、後述する弾性部材８を載置して支持可能な凹状のバネ受け部３ｃが形成され、このバネ受け部３ｃには、弾性部材８の一端部８ａを嵌合させて係止可能なバネ係止部３ｄが傾斜状に形成されている。
また、ウエハ３の互いに対向する左右の側面には、ケース１のスナップ孔１ｆ、１ｆにスナップ係合可能な突起部３ｅ、３ｅが突出形成されている。
前記突起部３ｅ、３ｅに挟まれた部分の基部３ａには、ケース１の第１位置決め孔１ｊと略同じ径寸法の貫通孔３ｆが形成されている。
そして、ウエハ３をケース１の空洞部１ａに挿入してスナップ孔１ｆに突起部３ｅをスナップ係合すると、ケース１側の位置決め孔１ｊとウエハ３の貫通孔３ｆとが重なるようになっている。
【００１９】
また、第１、第２固定接点４、６は、金属板からなり、プレス加工等により形成されている。そして、バネ支持壁３ｂに埋設支持された第１固定接点４は、埋設部分から図示右上方に延出して第１接点部４ａが形成されている。前記第１固定接点４は、図４に示すように、ウエハ３の端面３ｇから図示左方向に延出する延出部分を端面３ｇに沿って略Ｕ字状に折り返して第１接続部５が形成されている。また、第２固定接点６は、基部３ａの埋設部分から図示上方に延出して第２接点部６ａが形成されている。
前記第２固定接点６は、第２接続部７が第１接続部５と同様に、端面３ｇからの延出部分を端面に沿って略Ｕ字状に折り返して形成されている。
【００２０】
前記第１、第２固定接点４、６のそれぞれの接点部４ａ、６ａは、所定の間隔を有して配設され、回動支持部２ｅを支点として回動するレバー部材２に保持した後述する可動接点９の回動軌跡に沿って円弧状に形成されている。前記第１接点部４ａは、延出高さが第２接点部６ａより高く形成されている。
そのために、第２接点部６ａより高い第１接点部４ａには、後述する可動接点９が常時接するようになっているが、高さの低い第２接点部５ａには、レバー部材２を回動させることで可動接点９が接離可能になっている。
【００２１】
前記Ｕ字状の第１接続部５は、図４、図５に示すように、一方側が開放部５ａによって開放されている共に、他方側の折り返し基部５ｂが所定寸法で切り欠きされて差込孔５ｃが形成されている。
また、第１接続部５には、開放部５ａ近傍及び差込孔５ｃ近傍に、互いに対向する内向きに山形形状に折り曲げられて片持ち状をなした第１、第２弾接部５ｄ、５ｅが形成されている。
このことにより、後述する外部接続部材１０が、開放部５ａ側、あるいは差込孔５ｃ側のどちらから挿入されたとしても、第１、第２弾接部５ｄ、５ｅがスムーズに弾性変形して、外部接続部材１０に弾接することができる。
そのために、第１、第２固定接点４、６と外部接続部材１０との電気的な接続を確実に行うことができる。
【００２２】
また、第１接続部５の製造方法は、第１接続部５をＵ字状に折り返す前に、プレス加工等で折り返し基部５ｂとなる部分を寸法Ｂで切り欠いて差込孔５ｃを形成し、その後、折り返し基部５ｂをＵ字状に折り返すことで第１接続部５が形成される。
また、折り返し基部５ｂは、切り欠き形成した差込孔５ｃを挟んで互いに対向する連結部５ｆ、５ｆが形成され、この連結部５ｆ、５ｆが略Ｕ時状に折り返されている。前記第２弾接部５ｅは、折り返し基部５ｂを切り欠きする時に、同時に形成されるようになっている。
また、第２固定接点６の第２接続部７は、第１接続部５と同じ構成なので、同じ番号を付して詳細な説明は省略する。前記第２接続部７は、開放部７ａ、折り返し部７ｂ、差込孔７ｃ、第１弾接部５ｄ、第２弾接部５ｅ、連結部７ｆからなっている。
【００２３】
このような第１、第２固定接点４、６は、ウエハ３をケース１の空洞部１ａにスナップ係止すると、ケース１の第１側板１ｂの第１挿通孔１ｇと第１接続部５の開放部５ａとが対峙すると共に、第２挿通孔１ｈと第２接続部７の開放部７ａとが対峙する。
更に、ケース１の第２側板１ｃの第１挿通孔１ｇと第１接続部５の差込孔５ｃとが対峙すると共に、第２側板１ｃの第２挿通孔１ｈと第２接続部７の差込孔７ｃとが対峙する。
前記第１、第２固定接点４、６は、ウエハ３に埋設した部分を挟んで第１、第２接点部４ａ、６ａと、第１、第２接続部５、７とが離れた位置に形成されている。そのために、第１、第２接続部５、７に、後述するプラグ等の外部接続部材１０を接続したときに発生する火花等の異物が、第１、第２接点部４ａ、６ａに飛散するのを防止することができる。
【００２４】
また、ウエハ３のバネ支持壁３ｂに形成したバネ受け部３ｃには、捻りコイルバネからなる弾性部材８が支持可能になっており、前記弾性部材８は、一端部８ａと他端部８ｂとが所定の角度を有して外側に導出形成されている。
そして、バネ受け部３ｃに弾性部材８を載置すると、一端部８ａがウエハ３のバネ係止部３ｄに嵌合して弾性部材８がウエハ３に係止されると共に、他端部８ｂがレバー部材２の右側のストッパ壁２ｃに弾接して、レバー部材２を上方に弾性付勢するようになっている。
【００２５】
また、レバー部材２の接点収納部２ｄ内に形成した空洞部には、リン青銅板等の弾性を有する金属板を略コ字状に折り曲げ形成した可動接点９が収納されている。前記可動接点９は、両端部が連結部９ａ、９ａで連結され、この連結部９ａ、９ａ間にクリップ状の第１、第２接点部９ｂ、９ｃが、第１、第２接点部４ａ、６ａと同じピッチ寸法で形成されている。
そして、レバー部材２の接点収納部２ｄ内の空洞部に収納して保持した可動接点９は、動きが規制されて抜け止めされるようになっている。
前記レバー部材２の接点収納部２ｄ内に保持した可動接点９は、レバー部材２の回動操作で、第１、第２接点部９ｂ、９ｃが第１、第２固定接点４、６の板状の第１、第２接点部４ａ、６ａを挟み込んで、円弧状の第１、第２接点部４ａ、６ａに沿って摺動可能になっている。
【００２６】
このような構成の本発明のスイッチ装置の動作を説明すると、まず、レバー部材２を操作する前の初期状態においては、図３に示すように、弾性部材８の付勢力でレバー部材２が上方に回動して、ストッパ壁２ｃがケース１の天板１ｄの天井面に当接した状態になっている。
この初期状態における可動接点９の第１接点部９ｂは、第１固定接点４の第１接点部４ａに接触しており、第２接点部９ｃは、第２固定接点６の第２接点部６ａから離間している。
そのために、第１、第２固定接点４、６は、電気的に不動通状態となっている。
【００２７】
前記初期状態において、レバー部材２を矢印Ｃ方向に回動操作すると、図示を省略するが、第２固定接点６の第２接点部６ａに可動接点９の第２接点部９ｃが接触して、第１、第２固定接点４、６が、可動接点９を介して導通し第１、第２固定接点４、６間のスイッチ回路が切り換わってスイッチング動作が行われる。
この時の可動接点９は、レバー部材２の接点収納部２ｄ内の空洞部で動きが規制されているので、レバー部材２の回動操作に確実に連動して回動するので、レバー部材２の回動操作で確実にスイッチ回路を切り換えることができる。
【００２８】
また、第１、第２固定接点４、６間のスイッチ回路が切り換わって、矢印Ｃ方向に加えていたレバー部材２の操作荷重を解除すると、レバー部材２は、弾性部材８の付勢力で図３に示す初期状態に自動復帰する。
このことにより、可動接点９の第２接点部９ｃが第２接点部６ａから離間して、スイッチ回路が初期状態に復帰する。
前述したような本発明のスイッチ装置の可動接点９は、レバー部材２の接点収納部２ｄに収納するだけで動きが規制されて抜け止めされるので、組立性に優れていると共に、レバー部材２の回動に忠実に連動して回動することができ、スイッチ回路の切り換えタイミングのバラツキをなくすることができる。
【００２９】
このような本発明のスイッチ装置は、図６、図７に示すように、外部のプラグ等の外部接続部材１０を立設した取付部材１１に取付可能になっている。
そして、本発明のスイッチ装置は、左右の第１、第２側板１ｂ、１ｃに形成した第１、第２挿通孔１ｇ、１ｈと第１、第２接続部５、７とが対峙しているので、例えば右開閉のドアからなる取付部材１１に取り付けるには、図６に示すように、右側の第２側板１ｃ側を右開閉のドアである取付部材１１と対向させて、第２側板１ｃ側の第１、第２挿通孔１ｇ、１ｈに外部接続部材１０を挿通すると、開放部５ａから外部接続部材１０が侵入して、第１、第２弾接部５ｄ、５ｅに弾接する。
【００３０】
このことにより、第１、第２接続部５、７と外部接続部材１０とが接続されとともに、第１、第２位置決め孔１ｊ、１ｋに、取付部材１１側の位置決めピン（図示せず）が嵌合して、本発明のスイッチ装置が取付部材１１の所定位置に位置決めされて取り付けされる。
更に、強固に取付部材１１に取り付けるにはネジ等を用いて取り付けることも可能である。
【００３１】
また、取付部材１１が、例えば左開閉のドアの場合だと、図７に示すように、左側の第１側板１ｂ側を左開閉のドアである取付部材１１と対向させて、第１側板１ｂ側の第１、第２挿通孔１ｇ、１ｈに外部接続部材１０を挿通することで、第１、第２接続部５、７と外部接続部材１０とを接続することができる。
即ち、本発明のスイッチ装置は、姿勢を変えることなく、左右両方向から外部接続部材１０に第１、第２固定接点４、６を接続できるので、１種類で右開閉のドア用と左開閉のドア用とを兼用することができる。
【００３２】
尚、本発明の実施の形態では、第１、第２接続部５、７を上下方向に並設したもので説明したが、第１、第２接続部５、７は水平方向に並設したものでも良い。
また、第１、第２接続部５、７は、開放部５ａ、７ａを第２側板１ｃに対峙させると共に、折り返し基部５ｂ、７ｂを第１側板１ｂと対峙させたもので説明したが、この逆でも良い。
【図面の簡単な説明】
【００３３】
【図１】本発明のスイッチ装置の分解斜視図である。
【図２】本発明のスイッチ装置の斜視図である。
【図３】図２の要部断面図である。
【図４】図２の下面から見た要部断面図である。
【図５】本発明に係わるウエハの正面図である。
【図６】外部接続部材と固定接点との接続を説明する要部断面図である。
【図７】外部接続部材と固定接点との接続を説明する要部断面図である。
【図８】従来のスイッチ装置を説明する斜視図である。
【符号の説明】
【００３４】
１  ケース
１ａ  空洞部
１ｂ  第１側板
１ｃ  第２側板
１ｆ  スナップ孔
１ｇ  第１挿通孔
１ｈ  第２挿通孔
２  レバー部材
２ａ  操作部
２ｂ  本体部
２ｃ  ストッパ壁
３  ウエハ
３ａ  基部
３ｂ  バネ支持壁
３ｃ  バネ受け部
４  第１固定接点
４ａ  第１接点部
５  第１接続部
５ａ  開放部
５ｂ  折り返し基部
５ｃ  差込孔
５ｄ  第１弾接部
５ｅ  第２弾接部
５ｆ  連結部
６  第２固定接点
７  第２接続部
８  弾性部材
９  可動接点
１０  外部接続部材
１１  取付部材
【図１】
2006236608.tif 000003
【図２】
2006236608.tif 000004
【図３】
2006236608.tif 000005
【図４】
2006236608.tif 000006
【図５】
2006236608.tif 000007
【図６】
2006236608.tif 000008
【図７】
2006236608.tif 000009
【図８】
2006236608.tif 000010
【手続補正書】
【提出日】平成17年4月6日(2005.4.6)
【手続補正１】
【補正対象書類名】図面
【補正対象項目名】図４
【補正方法】変更
【補正の内容】
【図４】
2006236608.tif 000011
【手続補正２】
【補正対象書類名】図面
【補正対象項目名】図６
【補正方法】変更
【補正の内容】
【図６】
2006236608.tif 000012
【手続補正３】
【補正対象書類名】図面
【補正対象項目名】図７
【補正方法】変更
【補正の内容】
【図７】
2006236608.tif 000013